(57)【特許請求の範囲】
【請求項１】
水平な駆動軸により回転され、少なくとも幅方向の一方側に、多数の水透過穴を有する円盤状のろ過板と、このろ過板の外端縁付近の側面が摺接する外輪スペーサと、このろ過板の回転中心側の内輪スペーサとにより構成される脱水処理室を備え、前記ろ過板の内側面に側面が摺接し、前記脱水処理室内に汚泥を供給する汚泥供給部と、脱水ケーキを排出する脱水ケーキ排出部とを仕切る仕切りスペーサを備えた回転加圧脱水機において、前記仕切りスペーサの汚泥供給部側と脱水ケーキ排出部側との間に、前記ろ過板の外周付近から前記内輪スペーサの外周付近まで連なるろ過面の全幅に相当する空間が設けられ、この空間を覆うろ過板の外側面に向って洗浄水を噴射して前記ろ過板のろ過面を洗浄するろ過板洗浄手段が設けられてなることを特徴とする回転加圧脱水機。
【請求項２】
前記ろ過板洗浄手段は、前記ろ過板の半径方向のろ過面の複数の領域を個別に洗浄する、前記複数の領域と同数の洗浄水噴射ノズルからなり、前記ろ過板の外端縁側の領域を洗浄する洗浄水噴射ノズルの噴射口の口径は、前記ろ過板の回転中心側の領域を洗浄する洗浄水噴射ノズルの噴射口の口径より大口径に設定されてなることを特徴とする請求項１に記載の回転加圧脱水機。
【請求項３】
前記ろ過板洗浄手段は、前記ろ過板の反脱水処理室側の外側に設けられたカバーに着脱自在に設けられてなることを特徴とする請求項１または２のうちの何れか一つの項に記載の回転加圧脱水機。
【請求項４】
請求項１乃至３のうちの何れか一つの項に記載の回転加圧脱水機による汚泥の脱水方法であって、前記回転加圧脱水機の運転中に、前記ろ過板洗浄手段からろ過板の外側面に向かって洗浄水を噴射して前記ろ過板のろ過面を洗浄することを特徴とする回転加圧脱水機による汚泥の脱水方法。
【発明の詳細な説明】
【技術分野】
【０００１】
本発明は、産業排水汚泥、下水汚泥等の汚泥を、少なくとも幅方向の一方側に、多数の水透過穴が設けられてなるろ過面を有する円盤状のろ過板を備えた脱水処理室内に供給し、汚泥を円盤状のろ過板の回転に追随させて回転させながら、ろ過板によりろ過液をろ過して濃縮脱水する回転加圧脱水機および回転加圧脱水機による汚泥の脱水方法に関するものである。
【背景技術】
【０００２】
産業排水汚泥、下水汚泥等の汚泥を濃縮脱水する脱水機の中に、例えば回転加圧脱水機がある。以下、従来例に係る典型的な回転加圧脱水機の２例を説明する。先ず、従来例１に係る回転加圧脱水機は、外輪スペーサと、この外輪スペーサと同心の内輪スペーサと、この内輪スペーサを支持し、駆動軸により回転されるボス部材に取付けられ、相対する外周縁の近傍の内側面が前記外輪スペーサの内周面の近傍の外側面に摺接する一対のろ過板を備えている。これら外輪スペーサと、内輪スペーサと、一対のろ過板との間に脱水処理室が形成されている。そして、一端側が前記内輪スペーサに摺接する仕切りスペーサによって仕切られた上側の汚泥供給部から脱水処理室に供給された汚泥（凝集剤混入済）は一対のろ過板によってろ過されると共に、一対のろ過板の回転に追随して下側の脱水ケーキ排出部から脱水ケーキとして排出されるようになっている。また、一対のろ過板の外側には、一対のカバーが設けられている。
【０００３】
この回転加圧脱水機には、前記一対のろ過板を清掃するための清掃手段が設けられている。この清掃手段の一つは、前記脱水処理室内に設けられ、前記一対のろ過板の水透過穴に詰まった脱水ケーキ片、内側面に付着する汚泥中の微粒子塊や脱水ケーキ片を掻取るスクレーパであり、また他の一つは、前記仕切りスペーサの両側面に設けられ、前記一対のろ過板の内側面に向かって洗浄水を噴射する複数の洗浄水噴射ノズルである。なお、これら複数の洗浄水噴射ノズルには、仕切りスペーサの端面に設けられた洗浄水入口から洗浄水が供給される。また、この従来例１に係る回転加圧脱水機には、前記のような前記仕切りスペーサの両側面に洗浄水噴射ノズルを設けると共に、カバーにろ過板の外側面に洗浄水を噴射する洗浄水噴射ノズルを設けることも考えられている（例えば、非特許文献１参照。）。
【０００４】
次に、従来例２に係る連続加圧脱水機（以下、回転加圧脱水機という）の概要を説明する。この回転加圧脱水機はろ過板のろ過面にノズル管の周回軌跡を近似させ、脱水運転中にろ過板のろ過面の全体を任意に洗浄するようにしたものである。より詳しくは、ろ過室（脱水処理室に相当する）を形成するろ過板の前後に回転環と従動回転環を回動自在に配設し、これら回転環と従動回転環とに止着した複数のノズル管をろ過板のろ過面に対峙させる。そして、ノズル管の他端をろ過外環（外輪スペーサに相当する）の外周面に沿って配設した洗浄水管に連結して、ろ過板の前後のノズル管をろ過板のろ過面に沿って揺動自在に構成したものである。従って、従来例２に係る回転加圧脱水機によれば、脱水運転中にノズル管を駆動軸と同心軸状に公転させながら、任意に目詰まりしたろ過板の所定範囲に洗浄水を吹付けて洗浄することにより、ろ過板の全体を再生することができる（例えば、特許文献１参照。）。
【非特許文献１】回転加圧脱水機、社団法人下水道新技術推進機構、２００２年３月、ｐ．１２−３５（第３章第１節  回転加圧脱水機の構造と原理）
【特許文献１】特開２００４−２３７２２９号公報
【発明の開示】
【発明が解決しようとする課題】
【０００５】
上記従来例１に係る回転加圧脱水機では、カバーにろ過板の外側面に洗浄水を噴射する洗浄水噴射ノズルが設けられた場合、脱水機運転中（汚泥脱水中）においては、ろ過室内は汚泥や脱水ケーキが詰まった状態になっているので、運転中にろ過板の外側面に洗浄水を噴射しても、ろ過板を効果的に洗浄することができない。つまり、ろ過板を効果的に洗浄するには、ろ過室内の汚泥または脱水ケーキを排出した後、洗浄する必要があるので、運転停止に伴う処理能力の低下等の問題がある。また、仕切りスペーサの両側面に設けられた洗浄水噴射ノズルの噴射口は、高々４０ｍｍ程度の厚さの仕切りスペーサの両側面に開口している関係上、ろ過板の内側面と噴射口との間に大きな距離を確保することができない。従って、一つの洗浄水噴射ノズルから噴射される洗浄水により洗浄し得る領域は極めて狭いため、ろ過板の半径方向に多数の洗浄水噴射ノズルを設けなければならず、多量の洗浄水を要するという問題がある。また、洗浄水噴射ノズルを点検するために、回転加圧脱水機のカバー、仕切りスペーサの取外し作業、並びに取外したカバー、仕切りスペーサの組立て作業が必要不可欠であるから、回転加圧脱水機のランニングコストが嵩むという問題がある。さらに、洗浄水噴射ノズルの点検に際して回転加圧脱水機の運転を停止しなければならないので、その稼働率の向上にとって好ましくないという問題もある。
【０００６】
上記従来例２に係る回転加圧脱水機では、複数のノズル管を備えた回転環と従動回転環は、洗浄駆動機で駆動される構成であるため、構造が複雑で製造コストが嵩むという問題がある。また、回転環と従動回転環はカバーの内側に配設されているため、ノズル管を点検するために、回転加圧脱水機のカバー、洗浄駆動機の取外し作業、並びに取外したカバー、洗浄駆動機の組立て作業が必要不可欠であるから、回転加圧脱水機のランニングコストが嵩むという問題がある。また、ノズル管の点検に際して、回転加圧脱水機の運転を停止しなければならないので、その稼働率の向上にとって好ましくないという問題もある。
さらに、ろ過板の水透過穴の直径が高々１．０ｍｍであるのに加えて、ろ過室内に汚泥、脱水ケーキ等が入っている関係上、水透過穴に洗浄水が侵入し難く、目詰まりした脱水ケーキ片を確実に除去することができないという問題もある。
【０００７】
従って、本発明の目的は、構造が簡単で、一つの洗浄水噴射ノズルによりろ過板のろ過面の広い領域を洗浄することができ、しかもカバー、仕切りスペーサの取外し、組立て作業を行うまでもなく洗浄水噴射ノズルの点検を行い得るようにした回転加圧脱水機および回転加圧脱水機による汚泥の脱水方法を提供することである。
【課題を解決するための手段】
【０００８】
発明者等は、下記のことを考えて、本発明に係る回転加圧脱水機を具現するに至ったものである。
（１）脱水機の運転中（汚泥脱水中）にろ過板の水透過穴の内周面や内側面に付着している脱水ケーキ片を効果的に除去するためには、洗浄水噴射ノズルから噴射された洗浄水が水透過穴を通過してろ過板の内側に流入し得るよう、仕切りスペーサの汚泥供給部側と脱水ケーキ排出部側との間に、ろ過面の全幅に相当する空間を設ければ良い。
（２）洗浄水噴射ノズルの噴射口とろ過板との間の間隔を大きくして洗浄し得る領域を広くすれば良い。
（３）洗浄水噴射ノズルの点検を容易にするためには、洗浄水噴射ノズルをカバーに着脱自在に取付ければ良い。
【０００９】
従って、上記課題を解決するために、本発明の請求項１に係る回転加圧脱水機が採用した手段は、水平な駆動軸により回転され、少なくとも幅方向の一方側に、多数の水透過穴を有する円盤状のろ過板と、このろ過板の外端縁付近の側面が摺接する外輪スペーサと、このろ過板の回転中心側の内輪スペーサとにより構成される脱水処理室を備え、前記ろ過板の内側面に側面が摺接し、前記脱水処理室内に汚泥を供給する汚泥供給部と、脱水ケーキを排出する脱水ケーキ排出部とを仕切る仕切りスペーサを備えた回転加圧脱水機において、前記仕切りスペーサの汚泥供給部側と脱水ケーキ排出部側との間に、前記ろ過板の外周付近から前記内輪スペーサの外周付近まで連なるろ過面の全幅に相当する空間が設けられ、この空間を覆うろ過板の外側面に向って洗浄水を噴射して前記ろ過板のろ過面を洗浄するろ過板洗浄手段が設けられてなることを特徴とするものである。
【００１０】
本発明の請求項２に係る回転加圧脱水機が採用した手段は、請求項１に記載の回転加圧脱水機において、前記ろ過板洗浄手段は、前記ろ過板の半径方向のろ過面の複数の領域を個別に洗浄する、前記複数の領域と同数の洗浄水噴射ノズルからなり、前記ろ過板の外端縁側の領域を洗浄する洗浄水噴射ノズルの噴射口の口径は、前記ろ過板の回転中心側の領域を洗浄する洗浄水噴射ノズルの噴射口の口径より大口径に設定されてなることを特徴とするものである。
【００１１】
本発明の請求項３に係る回転加圧脱水機が採用した手段は、請求項１または２の何れか一つの項に記載の回転加圧脱水機において、前記ろ過板洗浄手段は、前記ろ過板の反脱水処理室側の外側に設けられたカバーに着脱自在に設けられてなることを特徴とするものである。
【００１２】
本発明の請求項４に係る回転加圧脱水機による汚泥の脱水方法が採用した手段は、請求項１乃至３のうちの何れか一つの項に記載の回転加圧脱水機による汚泥の脱水方法であって、前記回転加圧脱水機の運転中に、前記ろ過板洗浄手段からろ過板の外側面に向かって洗浄水を噴射して前記ろ過板のろ過面を洗浄することを特徴とするものである。
【発明の効果】
【００１３】
本発明の請求項１乃至３に係る回転加圧脱水機では、仕切りスペーサの汚泥供給部側と脱水ケーキ排出部側との間に、ろ過板の外周付近から内輪スペーサの外周付近まで連なるろ過面の全幅に相当する空間が設けられ、この空間を覆うろ過板の外側面に向って洗浄水を噴射してろ過板のろ過面を洗浄するろ過板洗浄手段が設けられている。
【００１４】
従って、本発明の請求項１乃至３に係る回転加圧脱水機によれば、下記のとおりの効果を得ることができる。
（１）洗浄水が噴射されるろ過板の内側には汚泥や脱水ケーキが存在しない空間が形成されていて、洗浄水が水透過穴を通過することができるので、脱水機の運転中にろ過板の水透過穴の内周面や内側面に付着している脱水ケーキ片を除去することができる。よって、脱水機を停止せずに効果的にろ過板を洗浄できるので、処理能力が向上する。
（２）ろ過板洗浄手段の噴射口とろ過板との間の間隔を大きくすることができるので、一つの噴射口でろ過面の広い領域を洗浄することができる。その結果、噴射口の数を少なくすることができるので、洗浄水の使用量を少なくすることができる。
【００１５】
本発明の請求項２に係る回転加圧脱水機では、ろ過板洗浄手段は、ろ過板の半径方向のろ過面の複数の領域を個別に洗浄する、複数の領域と同数の洗浄水噴射ノズルからなり、ろ過板の外端縁側の領域を洗浄する洗浄水噴射ノズルの噴射口の口径は、ろ過板の回転中心側の領域を洗浄する洗浄水噴射ノズルの噴射口の口径よりも大口径に設定されている。
【００１６】
従って、ろ過板の周速が速い外端縁側の領域に多量の洗浄水が噴射され、周速が遅い回転中心側の領域に小量の洗浄水が噴射されるため、一つの洗浄水噴射ノズルでろ過板のろ過面の全幅に亘る領域を洗浄する場合の洗浄水の使用量よりも少量にすることができる。
即ち、一つの洗浄水噴射ノズルによりろ過板のろ過面の全幅に亘る領域を洗浄する場合には、ろ過板の周速が速い領域を洗浄し得る量の洗浄水を噴射しなければならず、周速が遅い回転中心側の領域に必要以上の洗浄水が噴射されるからである。
【００１７】
本発明の請求項３に係る回転加圧脱水機では、ろ過板洗浄手段は、ろ過板の反脱水処理室側の外側に設けられたカバーに着脱自在に設けられている。
【００１８】
従って、本発明の請求項３に係る回転加圧脱水機によれば、下記のとおりの効果を得ることができる。
（１）カバーに設けられているろ過板洗浄手段は着脱自在であるため、カバー、仕切りスペーサの取外し、組立て作業を行うまでもなく、短時間のうちにろ過板洗浄手段を点検することができる。
（２）ろ過板洗浄手段はカバーに取付けるだけの構成であるため、従来例２に係るろ過板洗浄手段に比較し、その構成は遥かに簡単である。
【００１９】
本発明の請求項４に係る回転加圧脱水機による汚泥の脱水方法は、請求項１乃至３のうちの何れか一つの項に記載の回転加圧脱水機の運転中に、前記ろ過板洗浄手段からろ過板の外側面に向かって洗浄水を噴射して前記ろ過板のろ過面を洗浄する。従って、本発明の請求項４に係る回転加圧脱水機による汚泥の脱水方法によれば、下記のとおりの効果を得ることができる。
（１）洗浄水が噴射されるろ過板の内側には汚泥や脱水ケーキが存在しない空間が形成されていて、洗浄水が水透過穴を通過することができるので、脱水機の運転中にろ過板の水透過穴の内周面や内側面に付着している脱水ケーキ片を除去することができる。よって、脱水機を停止せずに効果的にろ過板を洗浄できるので、処理能力が向上する。
（２）ろ過板洗浄手段の噴射口とろ過板との間の間隔を大きくすることができるので、一つの噴射口でろ過面の広い領域を洗浄することができる。その結果、噴射口の数を少なくすることができるので、洗浄水の使用量を少なくすることができる。
【発明を実施するための最良の形態】
【００２０】
以下、本発明の汚泥の脱水方法を実施する本発明の実施の形態に係る回転加圧脱水機を、添付図面を順次参照しながら説明する。図１は、カバーの一部を切欠いて示す回転加圧脱水機の概略構成を示す一部省略側面図であり、図２は図１のＡ−Ａ線断面図、図３は図２のＢ部拡大図である。図４（ａ）はスクレーパの外輪スペーサへの取り付け状態説明図であり、図４（ｂ）は図４（ａ）のＣ矢視図であり、図５は図１のＤ方向から見たろ過板洗浄手段の構成説明図である。
【００２１】
図に示す符1は、本発明の実施の形態に係る回転加圧脱水機である。この回転加圧脱水機１は、図示しない減速機付の駆動装置によって、０．５〜１．３ｒｐｍの回転速度で回転される駆動軸２を備えている。この駆動軸２には、この駆動軸２の回転によりキー２ａを介して回転され、後述する第１ろ過板と第２ろ過板とを回転させるボス部材３が嵌着されている。このボス部材３は、第１ろ過板支持ボス３１と、第２ろ過板支持ボス３２と、これら第１ろ過板支持ボス３１と第２ろ過板支持ボス３２との間に介装されるスペーサ支持ボス３３と、これらを一体的に締結する締結ボルト、ナット、ワッシャとからなる機械的締結手段３４とから構成されている。
【００２２】
詳しくは、ボス部材３を構成する第１ろ過板支持ボス３１は、駆動軸２の軸端側に嵌着され、図示しない駆動装置側にフランジ部を備えている。前記ボス部材３を構成する第２ろ過板支持ボス３２は、駆動軸２の図示しない駆動装置側に嵌着され、この駆動軸２の軸端側に、前記第１ろ過板支持ボス３１のフランジ部と同外径のフランジ部を備えている。前記駆動軸２に嵌着された第１ろ過板支持ボス３１と、第２ろ過板支持ボス３２の間に嵌着される前記ボス部材３を構成するスペーサ支持ボス３３の外径は、第１，２ろ過板支持ボス３１，３２のフランジ部の外径より小径の円板状に形成されている。そして、これらは、第１，２ろ過板支持ボス３１，３２のフランジ部とスペーサ支持ボス３３を貫通する前記機械的締結手段３４により一体的に締結されている。
【００２３】
前記第１ろ過板支持ボス３１のフランジ部は、軸端側の大径フランジ部３１ａと、スペーサ支持ボス３３側の、このスペーサ支持ボス３３の外径より外径が若干小径の小径フランジ部３１ｂとからなっている。そして、前記フランジ部の小径フランジ部３１ｂに、多数の水透過穴７ａを備えた円盤状の第１ろ過板７の中心部に設けられた嵌合穴が嵌着されると共に、この第１ろ過板７の嵌合穴側の側面が大径フランジ部３１ａのスペーサ支持ボス３３側の面に当接する状態で固着されている。なお、符号７ｂは、第１ろ過板７を補強するための補強リブで、この補強リブ７ｂは、図示省略しているが、この第１ろ過板７の回転中心Ｏを中心とする放射状に設けられている。
【００２４】
前記第２ろ過板支持ボス３２のフランジ部は、図示しない駆動装置側の大径フランジ部３２ａと、スペーサ支持ボス３３側の、このスペーサ支持ボス３３の外径より外径が若干小径の小径フランジ部３２ｂとからなっている。そして、前記フランジ部の小径フランジ部３２ｂに、多数の水透過穴８ａを備えた円盤状の第２ろ過板８の中心部に設けられた嵌合穴が嵌着されると共に、この第２ろ過板８の嵌合穴側の側面が大径フランジ部３２ａのスペーサ支持ボス３３側の面に当接する状態で固着されている。なお、符号８ｂは、第２ろ過板８を補強するための補強リブで、この補強リブ８ｂは、図示省略しているが、この第２ろ過板８の回転中心を中心とする放射状に設けられている。
【００２５】
前記スペーサ支持ボス部３３には、嵌合穴に滑り軸受４ａが嵌着されてなる環状の内輪スペーサ４が回転可能に外嵌されており、この内輪スペーサ４の幅寸法は、その側面が前記第１ろ過板７と第２ろ過板８との嵌合穴側の内面に摺接し得るように設定されている。
前記内輪スペーサ４の外側には、この内輪スペーサ４の径中心と同心に外輪スペーサ５が設けられており、この外輪スペーサ５の側面には、前記第１ろ過板７と第２ろ過板８の外端縁付近の側面が摺接するように構成されている。本発明の実施の形態に係る回転加圧脱水機１の第１ろ過板７および第２ろ過板８は、直径０．５ｍｍの水透過穴を有するパンチングメタルである。ところで、回転加圧脱水機においては、ろ過板の水透過穴への汚泥の目詰まり抑制等の観点から、ろ過板の水透過穴の直径を、０．３〜１．０ｍｍの範囲に設定するのが好ましい。
【００２６】
前記外輪スペーサ５には、この外輪スペーサ５の中心側に、前記内輪スペーサ４の外周面に密接する凹曲面を有する仕切りスペーサ６が設けられている。この仕切りスペーサ６は、上部仕切りスペーサ６ａと、この上部仕切りスペーサ６ａと空間６ｃを隔てた下方位置の下部仕切りスペーサ６ｂとからなる二股形状に構成されている。そして、前記下部仕切りスペーサ６ｂの下側には、横方向に開口する、後述する構成になる汚泥流入口１１ａが形成されている。また、前記上部仕切りスペーサ６ａの上側には、横方向に開口する脱水ケーキ排出部１０が設けられている。
【００２７】
前記内輪スペーサ４の外周面、前記外輪スペーサ５の内周面、前記第１ろ過板７、および前記第２ろ過板８との間には、前記汚泥流入口１１ａから前記脱水ケーキ排出部１０側に向って順に、前記汚泥流入口１１ａから流入する、調質された汚泥をろ過するろ過ゾーン１１ｂと、ろ過水が除去された汚泥を圧搾脱水する圧搾脱水ゾーン１１ｃとに区分される脱水処理室１１が形成されている。前記汚泥流入口１１ａには、下側に開口する汚泥入口９ａ、汚泥流路を介して前記汚泥流入口１１ａに汚泥を供給する汚泥供給部９が取付けられている。また、前記脱水ケーキ排出部１０の排出口１０ａには、脱水処理室１１の圧搾脱水ゾーン１１ｃ内の圧搾脱水汚泥に対して背圧を付与するための背圧板１５が垂直に設けられている。この背圧板１５は、図示しない空気ばねやアクチュエータにより押圧されて排出口１０ａの幅寸法を狭めるように構成されている。
【００２８】
前記脱水処理室１１内には、第１ろ過板７と第２ろ過板８との相対する面（内側面）のそれぞれにエッジが鋭角的に接触して、第１ろ過板７と第２ろ過板８の相対する内側面のそれぞれに付着する汚泥中の微粒子塊や脱水ケーキを掻取って除去するスクレーパ１１ｄが複数設けられている。スクレーパ１１ｄの外輪スペーサ５、内輪スペーサ４への取付け状態は全く同じであるので、図４（ａ），（ｂ）を参照しながらスクレーパの外輪スペーサの側面への取付け状態を例として説明する。
【００２９】
即ち、スクレーパ１１ｄのそれぞれは、一端側が前記外輪スペーサ５の側面に２本の皿小ネジ１１ｅにより締結されている。従って、本発明の実施の形態に係る回転加圧脱水機１の内輪スペーサ４は、従来例に係る内輪スペーサのように駆動軸２により回転されるようになっていない。しかしながら、外輪スペーサ５の内周面に接触する脱水ケーキと同様に、脱水ケーキは第１，２ろ過板７，８の回転に伴って内輪スペーサ４の外周面を滑って移動するため、汚泥の脱水処理に支障が生じるようなことがない。
【００３０】
前記第１ろ過板７の外側には第１カバー１２が配設され、この第１カバー１２はフランジ部が前記外輪スペーサ５の側面に固着されている。また、前記第２ろ過板８の外側には第２カバー１３が配設され、この第２カバー１３はフランジ部が前記外輪スペーサ５の側面に固着されている。これら第１カバー１２、第２カバー１３それぞれの下部には、下方に突出するドレン管１４が設けられており、前記汚泥供給部９、汚泥入口９ａを経て脱水処理室１１内に供給され、前記第１，２ろ過板７，８に設けられた多数の水透過穴７ａ，８ａを介して、前記第１カバー１２内、前記第２カバー１３内に排出された汚泥中の水分は、前記ドレン管１４から機外に排水されるようになっている。
【００３１】
前記第１カバー１２には仕切りスペーサ６の空間６ｃを覆う第１ろ過板７の外面側領域に洗浄水を噴射して、この第１ろ過板７を洗浄する２種類の着脱自在な洗浄水噴射ノズルを備えた第１ろ過板洗浄手段１６が設けられている。また、前記第２カバー１３には仕切りスペーサ６の空間６ｃを覆う第２ろ過板８の外面側領域に洗浄水を噴射して、この第２ろ過板８を洗浄する２種類の着脱自在な洗浄水噴射ノズルを備えた、図示しない第２ろ過板洗浄手段が設けられている。前記第１ろ過板洗浄手段１６と前記第２ろ過板洗浄手段は同構成であるので、第１ろ過板洗浄手段１６を取上げて、その構成を説明する。
【００３２】
即ち、第１ろ過板洗浄手段１６は、第１カバー１２に着脱自在に取付け（図１のＮを付して示す位置）られ、クイックカプラ１６ｃを介して洗浄水が供給される外側洗浄水噴射ノズル１６ａと、同じくクイックカプラ１６ｃを介して洗浄水が供給される内側洗浄水噴射ノズル１６ｂとの２種類の洗浄水噴射ノズルを備えている。前記外側洗浄水噴射ノズル１６ａは前記第１ろ過板７の半径方向の周速が速い外端縁側の領域を洗浄するものであり、また内側洗浄水噴射ノズル１６ｂは前記第１ろ過板７の半径方向の周速が遅い回転中心側の領域を洗浄するものである。そのため、第１ろ過板７の外端縁側の領域を洗浄する前記外側洗浄水噴射ノズル１６ａの噴射口の口径は、第１ろ過板７の回転中心側の領域を洗浄する内側洗浄水噴射ノズル１６ｂの噴射口の口径より大口径に設定されており、洗浄する領域の周速に応じた量の洗浄水が噴射されるように構成されている。なお、前記クイックカプラ１６ｃには、図示しない洗浄水供給ポンプから洗浄水が供給される洗浄水供給ホース１６ｄが接続されるホースニップルが設けられている。
【００３３】
以下、本発明の実施の形態に係る回転加圧脱水機１の作用態様を説明する。即ち、本発明の実施の形態に係る回転加圧脱水機１によれば、高分子凝集剤の添加・混合により調質された汚泥が、汚泥圧入ポンプ（図示省略）により最大１００ｋＰａ（約１．０ｋｇｆ／ｃｍ２）に加圧される。加圧された汚泥が前記汚泥供給部９の下側に開口する汚泥入口９ａ、汚泥流路、および汚泥流入口１１ａを介して０．５〜１．３ｒｐｍのゆっくりした速度で回転されている脱水処理室１１の下側のろ過ゾーン１１ｂに連続供給され続け、能率よく脱水される。そして、脱水処理室１１の下側のろ過ゾーン１１ｂに供給された汚泥は、このろ過ゾーン１１ｂでろ過され、徐々に流動性が失われる。
【００３４】
前記ろ過ゾーン１１ｂにおけるろ過により流動性が低下した汚泥は、多数の水透過穴が設けられた円盤状の第１ろ過板７、および第２ろ過板８の表面にケーキ層を徐々に形成しながら、これら第１ろ過板７、第２ろ過板８の回転により圧搾脱水ゾーン１１ｃ側に移動する。これら第１ろ過板７、第２ろ過板８の表面に形成されたケーキ層により固形物の捕捉が向上するために、ろ液は清浄になる。
【００３５】
そして、前記圧搾脱水ゾーン１１ｃ領域中における汚泥は、前記脱水ケーキ排出部１０の排出口１０ａに設けられた背圧板１５の押圧力制御（空気ばね、アクチュエータの空気圧力制御）により背圧が最大６００ｋＰａ（約６．０ｋｇｆ／ｃｍ２）の一定圧力（調整可能である）に保持され続ける。流動性を失った汚泥は、これら第１ろ過板７、第２ろ過板８によるせん断力と、背圧板１５による背圧により圧搾脱水される。次いで、圧搾脱水された低含水率になった脱水ケーキは、背圧板１５を押し退けて脱水ケーキ排出部１０から機外へ排出される。
【００３６】
本発明の実施の形態に係る回転加圧脱水機１では、上記のような汚泥の脱水工程において、第１ろ過板７の半径方向の周速が速い外端縁側の領域に外側洗浄水噴射ノズル１６ａの大口径の噴射口から第１ろ過板７の周速に応じた大量の洗浄水が噴射される。また、第１ろ過板７の半径方向の周速が遅い回転中心側の領域に内側洗浄水噴射ノズル１６ｂの小口径の噴射口から第１ろ過板７の周速に応じた小量の洗浄水が噴射される。勿論、第２ろ過板８の外側面に対しても、第２ろ過板洗浄手段の２種類の着脱自在な洗浄水噴射ノズルのそれぞれから第２ろ過板８の周速が速い外端縁側の領域と周速が遅い回転中心側の領域とにそれぞれの周速に応じた量の洗浄水が噴射される。
【００３７】
従って、本発明の実施の形態に係る回転加圧脱水機１によれば、下記のとおりの効果を得ることができる。
（１）ろ過板洗浄手段の外側洗浄水噴射ノズルと、内側洗浄水噴射ノズルとの噴射口と第１，２ろ過板７，８の外側面との間の間隔を大きくすることができるので、一つの洗浄水噴射ノズルでろ過面の広い領域を洗浄することができる。その結果、洗浄水噴射ノズルの数を少なくすることができるので、洗浄水の使用量を少なくすることができる。
（２）洗浄水が噴射される第１，２ろ過板７，８の内側には空間６ｃが形成されていて、洗浄水が水透過穴７ａ，８ａを通過することができるので、第１，２ろ過板７，８水透過穴７ａ，８ａの内周面や内側面に付着している脱水ケーキ片を除去することができる。
（３）第１カバー１２に設けられている第１ろ過板洗浄手段１６と、第２カバー１３に設けられている第２ろ過板洗浄手段の洗浄水噴射ノズルは着脱自在であるため、カバー、仕切りスペーサの取外し、組立て作業を行うまでもなく、短時間のうちに第１ろ過板洗浄手段１６と第２ろ過板洗浄手段の洗浄水噴射ノズルを点検することができる。
（４）ろ過板洗浄手段は第１，２カバー１２，１３に取付けるだけの構成であるため、従来例２に係るろ過板洗浄手段に比較し、その構成は遥かに簡単である。
【００３８】
また、本発明の実施の形態に係る回転加圧脱水機１では、第１，２ろ過板７，８の半径方向の周速が速い外端縁側の領域に外側洗浄水噴射ノズルから周速に応じた大量の洗浄水が噴射され、また、第１，２ろ過板７、８の半径方向の周速が遅い回転中心側の領域に内側洗浄水噴射ノズルから周速に応じた小量の洗浄水が噴射される。そのため、一つの洗浄水噴射ノズルでろ過板のろ過面の全幅に亘る領域を洗浄する場合の洗浄水の使用量よりも少量にすることができるから、節水効果を得ることができる。
【００３９】
ところで、上記実施の形態においては、脱水処理室１１の幅方向の両側に多数の水透過穴が設けられてなるろ過面を有する円盤状のろ過板が配設されている回転加圧脱水機を例として説明した。しかしながら、例えば脱水処理室の幅方向の何れか一方に円盤状のろ過板が配設されていれば、それなりの効果を得ることができる。また、脱水処理する汚泥を下側の汚泥供給部から供給して上側の脱水ケーキ排出部から脱水ケーキを排出する回転加圧脱水機を例として説明した。しかしながら、汚泥を上側の汚泥供給部から供給して、下側の脱水ケーキ排出部から脱水ケーキを排出する構成の従来例に係る回転加圧脱水機に対しても本発明の技術的思想を適用することができる。さらに、ろ過板にパンチングメタルを用いた回転加圧脱水機を例として説明した。しかしながら、ウエッジワイヤースクリーン等、汚泥と水分を分離することができる部材であれば利用可能であるから、特にパンチングメタルに限るものではない。
【００４０】
従って、上記実施の形態に係る回転加圧脱水機は、本発明の具体例に過ぎず、本発明の技術的思想を逸脱しない範囲内における設計変更等は自由自在であるから、回転加圧脱水機の形態は上記実施の形態に係る回転加圧脱水機の形態に限定されるものではない。
【図面の簡単な説明】
【００４１】
【図１】本発明の実施の形態に係り、カバーの一部を切欠いて示す回転加圧脱水機の概略構成を示す一部省略側面図である。
【図２】図１のＡ−Ａ線断面図である。
【図３】図２のＢ部拡大図である。
【図４】本発明の実施の形態に係り、図４（ａ）はスクレーパの外輪スペーサへの取り付け状態説明図、図４（ｂ）は図４（ａ）のＣ矢視図である。
【図５】図１のＤ方向から見たろ過板洗浄手段の構成説明図である。
【符号の説明】
【００４２】
１…回転加圧脱水機，２…駆動軸，２ａ…キー，３…ボス部材，３１…第１ろ過板支持ボス，３１ａ…大径フランジ部，３１ｂ…小径フランジ部，３２…第２ろ過板支持ボス，３２ａ…大径フランジ部，３２ｂ…小径フランジ部，３３…スペーサ支持ボス，３４…締結手段，４…内輪スペーサ，４ａ…滑り軸受，５…外輪スペーサ，６…仕切りスペーサ，６ａ…上部仕切りスペーサ，６ｂ…下部仕切りスペーサ，６ｃ…空間，７…第１ろ過板，７ａ…水透過穴，７ｂ…補強リブ，８…第２ろ過板，８ａ…水透過穴，８ｂ…補強リブ，９…汚泥供給部，９ａ…汚泥入口
１０…脱水ケーキ排出部，１０ａ…排出口，１１…脱水処理室，１１ａ…汚泥流入口，１１ｂ…ろ過ゾーン，１１ｃ…圧搾脱水ゾーン，１１ｄ…スクレーパ，１１ｅ…皿小ネジ，１２…第１カバー，１３…第２カバー，１４…ドレン管，１５…背圧板，１６…第１ろ過板洗浄手段，１６ａ…外側洗浄水噴射ノズル，１６ｂ…内側洗浄水噴射ノズル，１６ｃ…クイックカプラ，１６ｄ…洗浄水供給ホース
Ｏ…ろ過板（駆動軸）の回転中心
【図１】
0004820784.tif 000002
【図２】
0004820784.tif 000003
【図３】
0004820784.tif 000004
【図４】
0004820784.tif 000005
【図５】
0004820784.tif 000006